(57)【要約】      （修正有）【課題】信書等の個人情報の盗難抑止効果を有し、数日間の郵便配達物等が容易に収納可能でき空き巣等の犯罪抑止効果を有する郵便受箱ポストを提供する。【解決手段】郵便受け箱１Ｐを、標準使用時の本体箱上部１Ａと留守不在時の本体下部箱１Ｂとの２段階に分割し、それぞれの箱には施錠出来る設備を設け、家人が在宅時には、２段階の箱の内上部の箱内に郵便配達物を収容して、家人が配達物が溜まる恐れのある数日間住居を留守にする場合は、２段階に分割してある箱内部の間仕切板１Ｃを取り除いて、郵便配達物が下部箱に自然落下し収容される構造とする。【選択図】図４
2008194413.tif 000002
【特許請求の範囲】
【請求項１】
差入れ口と取出し口を有する上部箱と、収納部と取出し口を有する下部箱とから成る郵便受け箱であって、該上部下部箱の間に脱着可能な仕切板を有することを特徴とした郵便受け箱。
【請求項２】
請求項１の上部箱と下部箱は個々に独立した箱体を接合したものであり、かつ貫通した空洞を形成するものであって、間に設置する仕切板は装着時において郵便物等を該板上で受ける構造とし、かつ外部から脱着の操作ができる構造とすることを特徴とした請求項１に記載する郵便受け箱。
【請求項３】
請求項２に記載する上部箱の取出し口扉は施錠装置を有し、該扉を開放したときに仕切板の脱着の操作ができる構造とし、および／または請求項２に記載する下部箱の取出し口扉は施錠装置を有することを特徴とした請求項２に記載する郵便受け箱。
【発明の詳細な説明】
【技術分野】
【０００１】本発明は、郵便受箱ポストに係り、特に郵便配達物が溢れ出て溜まっている事を、外部者から知られない事で、空き巣の犯罪防止と郵便配達物の盗難を抑止することの出来る受け箱を備えた郵便受箱ポストに関する。
【背景技術】
【０００２】郵便受箱ポストから郵便物や他配達物など（以下、郵便配達物という）が覗き見されたり、盗まれる事で従来から郵便配達物の盗難防止や多量収納機能を備えた物が提案されている。【０００３】郵便配達物の取出し口に盗難防止機能を備えた郵便受箱ポストの従来例として、例えば特開２００４−２４５２４号公報（特許文献１）が開示されている。この従来例では、取出し口扉に突起物を設け、突起部を本体部に設けられた突起受け部に係止めするようにし、取出し扉を開ける時は扉を幅方向にスライドさせて突起部の突起受け部へ係止めを外してから開けるようにしたものであるが、しかし、郵便配達物の盗難や覗き見は、自宅住居が留守中外泊時に起こったり、従来の郵便受箱ポストでは数日間分の郵便配達物が収まりきらないことなどから、郵便受箱本体より郵便配達物が、はみ出したりするなど、信書的な個人情報が盗まれ易い。【０００４】また、特開２００６−１７４８８０号公報（特許文献）が開示されている。この従来例では、投入口から手を入れて郵便配達物の盗難が出来ないことにより、盗難抑制を図る投入口にしている。しかし、投入口より手を入れ郵便配達物が取出せないということは、自宅不在時が２日や３日など長い期間になった場合は、従来ポスト同様で、投入口より郵便配達物がはみ出る事は無いが、取出す扉側より郵便配達物がはみ出るか、投入口に内部に収まりきらない、郵便配達物が飛出すことになり、盗難防止抑制効果は薄くなる。【０００５】尚、特開２００６−１７４８８０号公報（特許文献）が、受入れ箱部分の容量を大きくしても、本発明と同様で無い。従来例で、特開２００３−５２５２４号公報（特許文献）では、郵便ポストが家を留守した時に郵便配達物が一杯になり、投入口からあふれ、引出し口からも下に落ちるケースで取出し口に補助袋を設け、溢れた郵便配達物を受入れえる事で、雨に濡れなくするようにした物である。しかし、外部者からは、溜まった補助袋が発見された場合は、留守であることが発覚し、郵便配達物の盗難の危険性は元より住居までが不在の危険性を空き巣と自ずと告知してしまうことに繋がるので、一体的にしない事は、反って危険性が高まる。
【特許文献１】特開２００６−１７４８８０号公報（特許文献）
【特許文献２】特開２００３−５２５２４号公報（特許文献）
【特許文献３】特開２００４−２４５２４号公報（特許文献）
【発明の開示】
【発明が解決しようとする課題】
【０００６】従来郵便ポスト又は郵便受箱は、住居を外泊などで留守にした不在のとき、郵便ポストまたは、郵便受箱の収納容量が小さく郵便配達物が数日間または、１日か２日程度の量で満杯になってしまうことにより、外部他人から溜まった郵便配達物を覗かれたり、また、郵便配達物等が溜まっているということは、住宅不在で、留守を知らせることになり、特に投入口や取出し口から郵便配達物等が溢れてくると、数日間の住居不在を外部者に知らせることになり、数日間留守している事が判明してしまう危険性があり、留守中を狙った犯罪等を招く恐れがあり、信書等の個人情報が外部に漏れる危険性もある為、信書個人情報の盗難抑止効果を有し、数日間の郵便配達物等が容易に収納可能でき空き巣等の犯罪抑止効果を有する郵便受箱ポストを提供する。【０００７】上述した特許文献１に開示された従来例では、投入口から手を入れての盗難防止抑制効果は期待出来る。
しかし、数日間の郵便配達物が溜まることには、対応することが出来なくなる。また、取出し口に補助袋や後付で受け箱を工夫しても、反って郵便配達物が溜まっていることを告知してしまう為逆効果である。【０００８】そこで、盗難や覗き見を抑制するためだけでなく、数日間の郵便配達物を一時保管することが出来、更に外泊等の不在時でも郵便配達物を休止することなく、安心して外出外泊が出来ること、また、在宅中、少量の郵便配達物は面倒なく簡単に取出すことが出来る。【０００９】本発明の目的は、外泊や外出時の郵便配達物が従来郵便受け箱のように溜る心配が少なく、部外者から郵便配達物が覗かれる心配がない事による、盗難抑止効果を有する郵便受箱ポストを提供することにある。【００１０】請求項１の発明は、配達物を在宅時に収容する本体上部と外泊や外出等で不在時に収容する本体下部とが一体となり、この本体上部投入口に郵便配達物を投入する少なくとも、一つの投入口を備えた郵便ポストであって、前記、本体上下部の間仕切板が使用目的用途で、簡単に変更が出来ることを特徴とするもの。【００１１】請求項２の発明は、請求項１において、前記本体上下部の間に、間仕切板で調整させるように、付勢する付勢手段を備えることを特徴とするものである。【００１２】請求項３の発明は、請求１項において、本体上部から取出す口扉に盗難を抑止するための施錠設備を備え同時に、本体下部の取出し口扉においても、盗難を抑止するための施錠設備も備えることを特徴とする。【００１３】請求項３の発明は、請求項２において、前記第２本体箱部の上下にそれぞれ取出し口扉を備え、上下いずれかの施錠を解除することで、取出しを容易にした特徴とするものである。【００１４】請求項３の発明は、請求項１から請求項２のいずれか１項において、前記本体上部、本体下部との間の空間を間仕切板で遮断する手段を設けたことを特徴とするものである。
【課題を解決するための手段】
【００１５】本発明は、郵便受け箱を標準使用時の本体箱上部と留守不在時の本体下部箱で、２段階に分割し、それぞれの箱には、施錠出来る設備を設け、家人が在宅時には、２段階の箱の内、上部の箱内に郵便配達物を収容して、家人が留守または、出張や旅行又は外泊時などで、配達物が溜まる恐れのある数日間、住居を留守にする場合は、２段階に分割してある箱内部の間仕切板を取り除いて、郵便配達物が下部箱に自然落下し収容される構造なので、郵便配達物が投入口や取出し口から溢れずまた溜まっていることが判明しにくいことから住居が留守（空き巣）と判明しにくい構造。
【発明の効果】
【００１６】郵便受け箱本体の上部箱▲１▼と下部箱▲２▼の間仕切板▲３▼を取外すことで、郵送配達物を投入する
上部▲１▼に溜まらず、重力により下部箱▲２▼に自然落下する構造なので、郵便配達物が外部他人から覗かれず、郵便配達物が溢れないため、溜まっている事を外部者に知られない特徴を有する構造の郵便物受け箱ポスト。【００１７】前記、上部箱▲１▼と下部箱▲２▼は個々に独立した接合で、上部箱▲１▼と下部箱▲２▼の間は貫通した空洞で、日常時使用の時に下部箱への郵便配達物の落下を防ぐ為に貫通空洞部をふさぐ、間仕切板▲３▼を設けて、上部箱に郵便配達物を一時保管収納する構造で、間仕切板▲３▼を取外すと、下部箱▲２▼に郵便配達物が落下し、上部箱▲１▼に郵便配達物が溜まらない構造なので、信書個人情報が盗難させない特徴を有する郵便物受け箱。【００１８】前記、上部箱▲１▼と下部箱▲２▼の郵便配達物を収納する本体取出し口扉は、上部箱▲１▼に施錠出来る
南京錠取付金具か錠の設備を設け、下部箱▲２▼には施錠出来る鍵の設備を設け、上部箱▲１▼と下部箱▲２▼の間仕切として、上部箱▲１▼の郵便配達物取出し口の開閉扉を開けた時に、間仕切板▲３▼を取外せる構造とし、上部箱▲１▼に収納出来ない郵便配達物が下部箱▲２▼に落下することで、郵便物受け箱から郵便配達物が溢れず郵便配達物が溜まっていることが外部者から判明し難いことで構成したことを特徴とする郵便物受け箱。【００１９】請求項３記載の郵便物受け箱において、上部受箱▲１▼に施錠設備と下部受箱▲２▼にも、施錠設備を設けることで、在宅時の日常は、常時郵便配達物を上部受箱▲１▼の施錠設備を開放して、郵送配達物を取出すことが出来、外出の不在時は上部受箱▲１▼から下部受箱▲２▼に郵便配達物が落下させるように、間仕切板▲３▼を取外して下部受箱▲２▼に郵便配達物が溜まることで、郵便局や新聞配達店に休止届けをせず、安心して外出や外泊また、出張などをすることが出来、帰宅後に下部受箱▲２▼の施錠設備を開放し、数日間分溜まっている、郵送配達物や新聞等を受取る事が出来る特徴を有する郵便物受け箱。【００２０】郵便受け箱を上下２段階に別け、上下箱内部を空洞にし上下箱に間仕切板▲３▼を設けることで、上部受箱▲１▼からの郵送配達物の取出しと、下部受箱▲２▼からの郵送配達物取出しが、上下箱を別ける為の間仕切板▲３▼の取付設置か撤去取外しにより、取出し口を自由に選べる特徴を有する郵便受け箱。【００２１】請求１項の発明によれば、郵便配達物が投入され、在宅のときは上部取出口の施錠設備を開放した状態で郵便配達物を取出す事が出来、その際には間仕切板で上下部を仕切った状態にする上、下部本体は、施錠した状態としておくことで、全く従来通りの郵便ポスト受箱で使用が出来る。一方、外泊や出張等で不在のときは、間仕切板を本体上部から取外し、上下部の容量を一体化ができ、郵便配達物を休止する必要なく、数日間分の郵便配達物の収納ができる状態となるので、従来型郵便ポスト箱のような、投入口や取出し口から郵便配達物がはみ出すことなく、阻止でき、投入口からも配達物が溜まっている状態が見えないことから、住居不在が判りにくくなり、信書や郵便配達物の個人情報が盗まれることも阻止できる。【００２２】請求２項の発明によれば、上部箱と下部箱の一体化にしたことで、上下箱を間仕切る板の設置や撤去により郵便配達物の収納が郵便受箱ポスト所有者の用途に応じて、上部収納か上下部収納を替えることが簡単に出来ることで、郵便配達物の管理が容易になる。【００２３】請求２項の発明によれば、上部、下部の取出口に施錠を備えることで、郵便配達物が取出口より勝手に取出すことを阻止出来、盗難抑止の効果を向上させることが出来る。【００２４】請求２項の発明によれば、上部本体に間仕切板を取付けた状態の場合、常時に配達物の取出しが出来、間仕切板を取外した場合は、上部投入口から投入された配達物が上部内に溜まらず、下部に落下して、投入口から手を差し入れても届かない深さに収まるので、外出不在などが判りにくく、郵便配達物の盗難抑止だけでなく、住居の留守を察しられないことが、更に重要な盗難抑止を高めることとなる。【００２５】請求３項の発明によれば、施錠を備えた、取出し口を上下２ヶ所にすることで、郵便受箱ポストの所有者宅自身の生活状況にあわせ、間仕切板で、上部取出口か下部取出口を選ぶことが出来る。
以下、本発明に係わる郵便受箱ポストの一実施例を図面に基づき説明する。
【発明を実施するための最良の形態】
【００２６】図１は、実施例１に係わる郵便受箱ポストの概略構成図である。図１に示すように、本実施例の郵便受箱ポストＰは、投入された郵便配達物を在宅時収容する上部本体部Ａと、郵便受箱ポスト所有者の住居を外泊などで留守にするときに、収容する下部本体部Ｂと、郵便配達物の配達者が本体部ＡとＢに配達物を投入するための投入口Ｆと、配達物の収納が上下に分別出来るＣ間仕切板と、郵便受箱ポスト所有者が、投入された配達物を日常的に取出すための取出し口Ｄ１及び施錠Ｄと、郵便受箱ポスト所有者の、外泊等での住居不在後に取出すための取出し口Ｅ１及び施錠Ｅを備えて構成されている。【００２７】ここで、上下本体部や間仕切板また、取出し口扉は、ステンレスやアルミ板、塗装鋼板などの材質や、樹脂成型品で形成されており、投入が予想される郵便配達物の大きさや、数日間の量の用途に応じた大きさに設定されている。例えば、図５に示す塀などの埋め込み型では、郵便配達物の配達人が住居の敷地内に入らず敷地外側から塀に取付られた埋込型の郵便ポストに配達物を投入するものとなる。
また、図１に示す自立型（単独置き型）は、郵便ポストの所有者が適度な敷地内の場所に設置するので、配達人は、住居敷地内に入りこみ、郵便配達物を投入するものであるので、家庭の条件にあわせて選ぶことが出来る。【００２８】上部取出口扉の施錠Ｄは、鍵付の施錠設備や南京錠での施錠が出来る設備で形成され、その用途は所有者の用途に応じて決定される。また、下部取出口扉の施錠Ｅも鍵付の施錠設備やダイアル式の施錠が出来る設備で形成され、その用途も所有者の用途に応じて決定される。【００２９】上下受箱の空洞部Ｇは、郵便受箱の本体大きさにより決定され、その空洞部分Ｇを間仕切る板Ｃは、その上下受箱の空洞部Ｇの大きさに応じて決定される。【００３０】空洞部をふさぐ間仕切板は、図○のように上部本体受箱より小さいサイズとし、上部本体の取出口から間仕切板を取出せる大きさか、間仕切板を折り畳み出来る構造で、上部本体取出し口より取出せる物とし、上部本体受箱は、下部本体受箱より大きくすることで、郵便配達物が多量に収納できる。
【実施例】
【００３１】ここで、間仕切板が取外しができ、本体上部受箱に収納される場合と本体下部受箱に間仕切板を外す事で投入口より郵便配達物が自然落下（重力による落下）をして収納される構造の図４及び図８を説明する。図４に示すように、上部受箱と下部受箱による一体型で構成されている。すなわち、上部受箱と下部受箱の繋ぎ部分を空洞化することにより、郵便配達物が上部受箱に溜まらず、下部受箱にも溜まる構造で、所有者の都合で、上部受箱のみを使用するか下部受箱も使用するかは、間仕切板により支持されている。下部受箱に自然重力落下した郵便配達物は、上部受箱より深い下部受箱に収まるため、外部から内部の郵便配達物を目視することは出来ないようになっている。そして、郵便配達物を取出す口上下の扉には、施錠設備を備えているため、鍵所有者以外の外部者が郵便配達物を取出すことは不可能である。【００３２】このような、郵便配達物などが取出しできないため、住居人が在宅時の郵便配達物の盗難抑止効果があり、住居人が外泊などで住居不在の場合には、数日間分の郵便配達物や新聞等が溢れることなく収納ができ、外部他人に住居の数日間留守不在状況が判明し難いことから、空き巣での住居無断浸入などの犯罪防止を向上させることができ、所有者が安心した外泊や出張が可能となる。【００３３】次に、上述のように構成された本実施例の郵便受箱ポストの作用効果を図４及び図８に基づいて説明する【００３４】まず、購入使用者が塀埋め込み型図８か設置場所を選ばない自立型図４いずれかの形状を選ぶ事が出来、図８、図４共に、受け箱部は上下に区分されて、上下の空洞部には間仕切板を備えており、取出す口扉に施錠設備をも備えているので、形状が異なる物であるが、上部受け箱部と下部受け箱の構造や上下繋ぎの空洞部に間仕切板を備えている構成は同等であるので、いずれの図４や図８も郵便配達物を盗むことは、下部受け箱が深いために、手が届かず盗難抑制効果が有り、住居不在の状況が判りにくいことになる。【００３５】以上説明したように、各実施例の郵便受け箱ポストでは、郵便配達物Ｈを投入口Ｆから挿し入れた場合、郵便受箱ポスト一体Ｐ又は２Ｐの郵便受箱ポスト本体上部１Ａ又は２Ａに収納し、上部取出口扉施錠１Ｄを又は、２Ｄを解除することで上部取出口開閉扉１Ｄ１又は２Ｄ１より日常的な郵便配達物の取出しができる。【００３６】また、郵便配達物Ｈを住居不在（外泊等）時に投入口Ｆから挿し入れた場合、郵便受箱ポスト一体Ｐ又は２Ｐの郵便受箱ポスト本体上部１Ａ又は２Ａから、間仕切板１Ｃ又は２Ｃを取外して、郵便配達物Ｈが、郵便受箱ポスト本体上部１Ａ又は２Ａを一旦通過し、重力落下で上下受箱空洞部分１Ｇ又は２Ｇを通過して郵便受箱ポスト本体下部１Ｂ又は２Ｂ内部に収納される。住居人（郵便受箱ポスト所有者）が帰宅した時下部取出口扉の施錠１Ｅ又は２Ｅを解除して、下部取出口開閉扉１Ｅ１又は２Ｅ１より取出す事が出来る。【００３７】とくに、郵便受箱ポスト一体１Ｐ又は２Ｐの大きさを大きくした場合は、容量が多く郵便配達物１Ｈが多量に収納でき盗難抑止の効果をより一層向上させることができ、自宅不在が一層判りにくい事になり住居不在のときも長期間に渡り郵便受箱ポストの所有者が安心して外泊が出来る（請求項１の効果）。
【産業上の利用可能性】
【００３８】このような、郵便配達物などが取出しできないため、会社が在宅時の郵便配達物の盗難抑止効果があり、会社が休業などで建物不在の場合には、数日間分の郵便配達物や新聞等が溢れることなく収納ができ、外部他人に会社の数日間留守不在状況が判明し難いことから、会社建物の無断浸入などの犯罪防止を向上させることができ、会社企業が安心した休業や出張が可能となる。
【図面の簡単な説明】
【００３９】
【図１】実施例１に係わる自立設置型の郵便受箱ポストの説明図である。
【図２】実施例１に係わる郵便受箱ポストの  側面図である。
【図３】実施例１に係わる郵便受箱ポストの  上下部の取出口側の図である。
【図４】実施例１において郵便配達物を投入し、取出しするときの状態を説明するための図である。
【図５】実施例２に係わる塀設置型の郵便受箱ポストの説明図である。
【図６】実施例２に係わる郵便受箱ポストの  側面図である。
【図７】実施例２に係わる郵便受箱ポストの  上下部の取出口側の図である。
【図８】実施例２において郵便配達物を投入し、取出しするときの状態を説明するための図である。
【符号の説明】
１、１Ｐ・・・郵便受箱ポスト一体
２、１Ａ・・・郵便受箱ポスト本体上部
３、１Ｂ・・・郵便受箱ポスト本体下部
４、１Ｃ・・・間仕切板
５、１Ｄ・・・上部取出口扉の施錠
６、１Ｄ１・・上部取出口開閉扉
７、１Ｅ・・・下部取出口扉の施錠
８、１Ｅ１・・下部取出口開閉扉
９、Ｆ・・・投入口
１０、１Ｇ・・・上下受箱の空洞部分
１１、Ｈ・・・郵便配達物
１２、２Ｐ・・・郵便受箱ポスト一体
１３、２Ａ・・・郵便受箱ポスト本体上部
１４、２Ｂ・・・郵便受箱ポスト本体下部
１５、２Ｃ・・・間仕切板
１６、２Ｄ・・・上部取出口扉の施錠
１７、２Ｄ１・・上部取出口開閉扉
１８、２Ｅ・・・下部取出口扉の施錠
１９、２Ｅ１・・下部取出口開閉扉
２０、２Ｇ・・・上下受箱の空洞部分
【図１】
2008194413.tif 000003
【図２】
2008194413.tif 000004
【図３】
2008194413.tif 000005
【図４】
2008194413.tif 000006
【図５】
2008194413.tif 000007
【図６】
2008194413.tif 000008
【図７】
2008194413.tif 000009
【図８】
2008194413.tif 000010